(57)【要約】【課題】飲料容器に熱媒体としての高温高圧水を吹きつけて加熱する加熱装置について、系内での無駄な熱損失，熱媒体の消耗を低減して温水タンクの熱勘定改善，ランニングコストの低減化を図る。【解決手段】温水噴射ノズル１７，室内に搬入した商品（缶入り飲料）１６を直立姿勢に保持して中身飲料を攪拌する回転式攪拌機構１８を備えた密閉形の加熱室３と、高温高圧水を貯留する圧力形の温水タンク５と、該温水タンクと加熱室との間に配管した給水管路７，排水管路１１とからなり、搬送機構４により商品を加熱室に搬入した上で、指令に基づき温水タンクから加熱室へ加圧給水した高温高圧水を飲料容器の周面に吹きつけて中身飲料を加熱するようにした容器入り飲料の加熱装置において、加熱室に凝縮器１２を組み合わせ、高温高圧水の噴射に伴い加熱室内に生じた蒸気（従来装置では大気中に放出）を凝縮器に取り込んで凝縮し、その復水（温水）を加熱室からの排水とともに排水管路１１を通じて温水タンクに還流させるようにする。【選択図】      図１
2005115694.tif 000002
【特許請求の範囲】
【請求項１】
温水噴射手段および室内に搬入した飲料容器を直立姿勢に保持して中身飲料を攪拌する手段を備えた密閉形の加熱室と、高温高圧水を貯留する圧力形の温水タンクと、該温水タンクと前記加熱室との間に配管した高温高圧水の給水管路, および排水管路とからなり、飲料容器を前記加熱室に搬入した上で、指令に基づき温水タンクから加熱室へ加圧給水した高温高圧水を飲料容器の周面に吹きつけて中身飲料を加熱するようにした容器入り飲料の加熱装置において、
前記加熱室に凝縮器を組み合わせ、高温高圧水の噴射に伴い加熱室内に生じた蒸気を凝縮器に取り込んで凝縮し、その復水を加熱室からの排水とともに温水タンクに還流させるようにしたことを特徴とする容器入り飲料の加熱装置。
【請求項２】
温水噴射手段および室内に搬入した飲料容器を直立姿勢に保持して中身飲料を攪拌する手段を備えた密閉形の加熱室と、高温高圧水を貯留する圧力形の温水タンクと、該温水タンクと前記加熱室との間に配管した高温高圧水の給水管路, および排水管路とからなり、飲料容器を前記加熱室に搬入した上で、指令に基づき温水タンクから加熱室へ加圧給水した高温高圧水を飲料容器の周面に吹きつけて中身飲料を加熱するようにした容器入り飲料の加熱装置において、
高温高圧水の加熱給水源として、系内に複数基の圧力形温水タンクを装備して、各温水タンクをそれぞれ給水弁，回収弁を介して給水管路，排水管路に並列接続するとともに、温水タンクごとに大気側に通じる圧力開放弁を備え、当該加熱装置の運転中に複数基のうち１基の温水タンクを給水停止とし、かつ前記圧力開放弁を開いて大気側に開放した状態で、該タンクに加熱室および凝縮器からの排水を還流させるようにしたことを特徴とする容器入り飲料の加熱装置。
【請求項３】
請求項１または２に記載の加熱装置において、加熱室および凝縮器に連通して大気側に通じる圧力開放弁を備え、加熱終了後に加熱室を大気側に開放した上で室内から飲料容器を取り出すようにしたことを特徴とする容器入り飲料の加熱装置。
【請求項４】
請求項１ないし３のいずれかに記載の加熱装置において、加熱室および凝縮器と温水タンクとの間の排水側管路に排水回収タンクを設置し、飲料容器の加熱動作に伴い加熱室および凝縮器に生じた排水を一時的に貯留し、後から温水タンクへ還流させるようにしたことを特徴とする容器入り飲料の加熱装置。
【請求項５】
請求項１ないし４のいずれかに記載の加熱装置において、加熱室の飲料容器搬入口に、飲料容器の搬入状態で前記搬入口を閉塞状態に鎖錠するロック手段を備えたことを特徴とする容器入り飲料の加熱装置。
【請求項６】
前記の請求項に記載の加熱装置を機内に搭載し、商品販売時に商品収納ラックから払l出した容器入り飲料商品をその搬出経路の途上で加熱装置により加熱し、ホット商品として販売に供するようにすることを特徴とする自動販売機。
【発明の詳細な説明】
【技術分野】
【０００１】
本発明は、缶，びん，ペットボトル商品などの飲料商品を対象に、その飲料容器に高温水を吹きつけて加熱する容器入り飲料の加熱装置、およびその加熱装置を搭載して常温もしくは低温状態に保管していた商品をホット商品として販売する自動販売機に関する。
【背景技術】
【０００２】
自動販売機に適用する頭記の容器入り飲料の加熱装置としては、電磁誘導加熱方式，温水浸漬方式のほかに、販売時に商品収納ラックから払l出した缶，びん，ペットボトルなどの容器入り飲料商品を加熱装置に導き、ここで飲料容器に高温水を吹きつけて中身飲料を加熱するようにした方式のものが知られている（例えば、特許文献１参照。）。
上記の特許文献１に開示されている加熱装置は、商品販売時に機内の商品収納ラックから商品取出口に通じる搬出経路から取り込んだ飲料容器を横置姿勢に保持して加熱室内に搬入し、この搬入位置で飲料容器を回転（自転）して中身飲料を攪拌させつつ、加熱室内に備えた噴射ノズルを通じて高温水を飲料容器の周面に吹きつけて加熱するようにしたもので、この加熱室に温水タンク，送水ポンプ，および温水の循環送水管路を組み合わせて加熱装置を構成している。
【０００３】
一方、前記の加熱装置に関して、加熱室を縦向き配置として搬送手段により下方から加熱室内に搬入した飲料商品を直立姿勢に保持し、この状態で飲料容器を回転しつつその周面に温水タンクからポンプ送水した高温水をノズルを通じて噴射加熱するようにして中身飲料との熱貫流効率を高めるようにした構成の加熱装置が本発明と同一出願人より特願２００３−２０１２３９号（先行出願１）として提案されている。
また、前記の加熱装置において、熱媒体の加熱源となる温水タンクを圧力タンクとし、圧力タンク内で１００℃以上に加熱した高温高圧水をタンク内圧を利用して送水ポンプを使わずに加熱室へ加圧給水し、この高温高圧水をノズルを通じて飲料容器に吹きつけて加
熱能力を高めるようにした容器入り飲料の加熱装置が特願２００２-２１２２７４号(先行出願２)として、さらに前記の加熱室を密閉形の耐圧構造として、室内の圧力を高めた状態で飲料容器とその周面に衝突噴流として吹きつける高温，高圧水との間の伝熱効率を高めるようにした加熱方式の加熱装置が特願２００３−２０３５１２号（先行出願３）として本発明と同一出願人より提案している。
【特許文献１】特開２００１−３０７２１３号公報
【発明の開示】
【発明が解決しようとする課題】
【０００４】
ところで、前記の先行出願２，３で提案した圧力タンク形の温水タンク，および密閉形の加熱室を組み合わせた構成とし、温水タンクから加圧給水した高温高圧水を加熱室内に搬入した飲料容器に吹きつけて中身飲料を加熱するようにした容器入り飲料の加熱装置を製品化するには次記のような解決すべき問題点がある。すなわち、
(1) 圧力タンク形の温水タンクから密閉形の加熱室へノズルを通じて高温高圧水を噴射すると、高温高圧水の一部は加熱室内で蒸気化すようになるが、この蒸気の処理について先記の先行出願３では、加熱室に大気側へ通じる放圧弁を備え、加熱終了後に飲料容器を取り出す前に放圧弁を開放して室内を大気圧に戻すと同時に、室内から高圧蒸気を大気側に放出するようにしている。
しかしながら、加熱室から高温蒸気をそのまま外部に放出すると、蒸気の保有熱が無駄に捨てられることになって系内での熱勘定が低下する。また、蒸気の放出により加熱室から温水タンクに戻す回収水量が減ってタンク貯留水量の消耗が早まり、そのために新たな水の補給が必要となるほか、補給水の加熱に要するヒータの電力消費量が増えてランニングコストが増加する。
【０００５】
(2) また、飲料容器の加熱終了後に、加熱室内の底部に溜まった噴射排水を圧力タンク形の温水タンクに還流させる手段として、先記の先行出願３では加熱室と温水タンクとの間に弁付きの蒸気管路を設け、該蒸気管路を通じて温水タンク内から高圧蒸気を加熱室内に導入して双方の間を圧力バランスさせた上で、加熱室内の底部に残留している温水を自重で温水タンクへ還流させるようにしている。
しかしながら、この方式は加熱装置の運転制御が複雑となるのみならず、温水タンクへの排水回収を行っている間，およびその直後の状態では、温水タンクの内圧，水温が低下するために、ヒータ加熱によりタンク内の水温，圧力が回復するまで次の飲料容器の加熱動作を行うことができない。このために、当該加熱装置を搭載した自動販売機ではホット商品の連続販売に対応できず、自動販売機の稼働効率が低下する。
【０００６】
本発明は上記の点に鑑みなされたものであり、圧力タンク形の温水タンク，および密閉形の加熱室を採用した前記の加熱装置を対象として、加熱室内に噴射した高温高圧水の蒸気をそのまま系外に放出することなしに、凝縮水に変えてその復水を温水タンクに還流させるようにして系内での熱勘定の改善を図ることを第１の目的とし、また温水タンクから加熱室への高温高圧水の給水を中断，休止させることなしに、飲料容器の加熱動作を連続的に繰り返し行えるようにすることを第２の目的とした容器入り飲料の加熱装置、およびこの加熱装置を機内に装備して容器入り飲料のホット商品を販売する自動販売機を提供することを目的とする。
【課題を解決するための手段】
【０００７】
本発明によれば、温水噴射手段および室内に搬入した飲料容器を直立姿勢に保持して中身飲料を攪拌する手段を備えた密閉形の加熱室と、高温高圧水を貯留する圧力形の温水タンクと、該温水タンクと前記加熱室との間に配管した給水管路，および排水管路とからなり、飲料容器を前記加熱室に搬入した上で、指令に基づき温水タンクから加熱室へ加圧給水した高温高圧水を飲料容器の周面に吹きつけて中身飲料を加熱するようにした容器入り飲料の加熱装置において、
前記第１の目的を達成するために、加熱室に凝縮器を組み合わせ、高温高圧水の噴射に伴い加熱室内に生じた蒸気を凝縮器に取り込んで凝縮し、その復水を加熱室からの排水とともに温水タンクに還流させるようにする（請求項１）。
また、前記第２の目的を達成するために、高温高圧水の加熱給水源として、系内に複数の圧力形温水タンクを装備して、各温水タンクをそれぞれ給水弁，回収弁を介して循環送水管路に並列接続するとともに、温水タンクごとに大気側に通じる圧力開放弁を備え、当該加熱装置の運転中に複数基のうち１基の温水タンクを給水停止とし、かつ該タンクの圧力開放弁を開いて大気側に開放した状態で、該タンクに加熱室および凝縮器からの排水を還流させるようにする（請求項２）。
【０００８】
さらに、本発明によれば、前記の加熱装置について、次記のような実施態様で構成することができる。
(1) 加熱室および凝縮器に連通して大気側に通じる圧力開放弁を備え、加熱終了後に加熱室を大気側に開放した上で、室内から飲料容器を取り出すようにする（請求項３）。
(2) 加熱室および凝縮器と温水タンクとの間の排水側管路に排水回収タンクを設置し、飲料容器の加熱動作に伴い加熱室および凝縮器に生じた排水を一時的に貯留し、後から温水タンクへ還流させるようにする（請求項４）。
(3) 加熱室の飲料容器搬入口に、飲料容器の搬入状態で前記搬入口を閉塞状態に鎖錠するロック手段を備え、室内への高温高圧水の噴射に対する耐圧性および信頼性の向上を図るようにする（請求項５）。
【０００９】
また、本発明の自動販売機は、前記構成の加熱装置を機内に搭載し、商品販売時に商品収納ラックから払い出した容器入り飲料商品をその搬出経路の途上で前記加熱装置により加熱し、ホット商品として販売に供するようにする（請求項６）。
【発明の効果】
【００１０】
上記のように、加熱室に凝縮器を組み合わせ、高温高圧水の噴射に伴い加熱室内に生じた蒸気を凝縮器に取り込んで凝縮し、その復水を温水タンクに還流させるようにしたことにより、従来装置のように蒸気をそのまま大気中に放出して捨てていた方式と比べて、飲料容器の加熱用熱媒体として使用する水の消耗量を低く抑えることかできて温水タンクへの水補充の管理が容易となるほか、凝縮器で凝縮した復水（温水）を温水タンクに還流させることで熱回収も行え、これにより温水タンクの貯留水を加熱する電力消費量の節電化が図れて系内での熱勘定が改善する。
また、高温高圧水の加熱給水源として複数基の圧力形温水タンクを装備し、その内の１基を大気圧に開放した待機状態に切り換えて加熱室および凝縮器からの排水を回収させるように運転制御することにより、他の温水タンクから加熱室への高温高圧水の供給を行いつつ、加熱室からの排水を待機中の前記タンクに回収することができ、これにより加熱装置の運転を中断，休止させることなしに飲料容器の加熱を繰り返し継続的に行うことができる。さらに、前項(1) 〜(3) の構造を採用することで、加熱装置の機能，信頼性の向上が図れる。
【００１１】
そして、上記構成の加熱装置を自動販売機に搭載し、商品販売時に商品収納ラックから払い出した容器入り飲料商品を商品取出口に送出する搬送経路の途上で前記加熱装置に送り込んで加熱することにより、商品収納ラックに常温保存しておいた商品を短時間の販売時間でホット商品に加熱して販売に供することができる。
【発明を実施するための最良の形態】
【００１２】
以下、本発明を実施するための形態を、以下述べる図示実施例に基づいて説明する。
【実施例１】
【００１３】
図１は本発明実施例の加熱装置を搭載した自動販売機の構成図、図２は加熱装置の全体構成図、図３，図４はそれぞれ図２における加熱室，商品搬送機構の構造図である。
まず、図１において、１は自動販売機の本体キャビネット、１ａはその前面扉、２は機内に装備した容器入り飲料の加熱装置であり、図示してないがキャビネット１の庫内には商品収納ラックを搭載し、ここに缶，びん，ペットボトルなどの容器入り飲料商品（以下、単に「商品」と呼称する）が常温状態で保存されている。そして、商品販売時にホット商品を選択すると、その販売指令を受けて商品収納ラックから払い出した商品を後記のように搬送機構に受け渡して加熱装置２の加熱室に搬入し、この状態で温水タンクから加圧給水した高温水を飲料容器の周面に吹きつけて中身飲料がホット飲料としての適温（５５℃程度）になるよう加熱した後、商品を加熱室から取り出して商品取出口に送出する。
【００１４】
ここで、飲料容器の加熱装置２は、密閉，耐圧構造になる縦形の加熱室３と、該加熱室３に下方から商品を送り込む昇降式の商品搬送機構４と、ヒータ５ａを内蔵した圧力タンク形の温水タンク５と、温水タンク５から給水弁６を介して加熱室３との間に配管した高温高圧水の給水管路７と、加熱室３の底部か引き出して排水回収タンク８，浄水器９，および回収弁１０を介して温水タンク５との間に配管した排水管路１１と、前記加熱室３に連通して設置した凝縮器１２と、加熱室３から引き出して凝縮器１２との間に配管した連通管３ｃから分岐し、大気開放弁１３，マフラー１４を介して外部に引き出した放圧管路１５を主要部品として構成されている。また、１６は商品（缶入り飲料）、１７は商品１６の周囲に分散して加熱室３の内部に配置し、前記の給水管路７に接続した高温高圧水の噴射ノズル、１８は加熱室３に搬入した商品１７の容器頂部を把持して回転駆動する回転攪拌機構、１９は加熱装置の運転制御装置、２０は圧力形温水タンク５に貯留してヒータ加熱した高温高圧水（例えば、水温１３０℃，飽和蒸気圧０．３ＭＰa ）である。
【００１５】
なお、凝縮器１２は、凝縮室の外周を風胴で覆い、送風ファン１２ａで風胴との間のダクトに導風した外気との熱交換により蒸気を凝縮して復水に変えるようにしている。また、温水タンク５は外周を断熱材５ｃで覆って保温性を高めるようにしている。
次に、加熱装置２の加熱室３，搬送機構４の詳細構造を図３，図４に示す。まず、加熱室３は、ハウジングの底面側に商品１６が出入する搬入口３ａが開口し、その周域には搬入国３ａの開口面よりも一段低い排水溝部３ｂを形成し、後記のように噴射ノズル１７から室内に噴出した温水をこの排水溝部３ｂに集め、排水管路１１（図２参照）を経て温水タンク５に還流させるようにしている。一方、室内上部側には前記搬入口３ａを通じて室内に搬入した商品９を回転駆動して中身飲料を攪拌する回転式攪拌機構１８を備えており、この攪拌機構１８は駆動モータ１８ａと、該モータに連結して商品１６の頂部を把持するグリッパ１８ｂからなる。また、室内の周域には室内に搬入した商品１６の周面を取り囲むように高温高圧水の温水噴射ノズル１７が分散配置されており、各ノズルはマニホールド７ａを介して給水管路７に接続している。さらに、加熱室３のハウジング下面側には、後記のように商品１６を搬送機構４に搭載した加熱室内に搬入した際に、搬送機構４に装備の蓋板を搬入口３ａの閉塞位置に係止鎖錠するロック手段として電磁ソレノイドで操作するロック機構２１を備えている。
【００１６】
一方、商品の搬送機構４は、商品１６を直立姿勢に載置保持する回転式テーブル２２、該テーブル２２の支軸２２ａを回転自在に支える軸シール付きガイド軸受２３、商品１６を加熱室３のハウジングに搬入した位置で前記搬入口３ａを閉塞する蓋板２４，およびその支柱２５からなる組立体を昇降アーム２６に搭載した構成になる。なお、２７は回転式テーブル２２を上方に押圧付勢する調整ばね、２８は支柱２５に取り付けて先記ロック機構２１のプランジャ（ロック棒）２１ａ（図３参照）に掛合させるストッパ板である。
なお、図３に示した回転式攪拌機構１８のグリッパ１８ａ，および図４の搬送機構４に搭載した回転テーブル２２の支持機構については、先記の先行出願１に実施例として開示されているグリッパ機構，回転テーブル支持機構を採用することができる。
上記の構成で、常時は図１で表すように搬送機構４が下降位置に待機しており、商品販売時に商品収納ラックから払い出した商品１６を前記回転テーブル２２の上に移載して直立姿勢に載置保持し、続いて搬送機構４の昇降アーム２６を上方に移動して商品１６を加熱室３のハウジング内に搬入する。そして、加熱室５に搬入した商品１６をさらに上昇移動させると、室内上部に配置した回転式攪拌機構１８のグリッパ１８ｂが商品１６の頂部を把持する。同時に搬送機構４の蓋板２４がハウジングの搬入口３ａを閉塞するとともに、ロック機構２１を後退位置から突き出して搬送機構４のテーブル支持機構に設けたストッパ板２８に掛合し、蓋板２４を閉塞位置にロックする。
【００１７】
続いて、運転制御装置１０（図１参照）からの指令により、攪拌機構１８の駆動モータ１８ａを始動してグリッパ１８ｂと回転式テーブル２２との間に挟んで直立姿勢に保持した商品１６を回転して中身飲料を攪拌させつつ、同時に給水管路７の給水弁６を開き、圧力形温水タンク５に貯留していた高温高圧水２０を加熱室３の温水噴射ノズル１７に加圧供給し、噴射ノズル１７から噴出した高温高圧水を衝突噴流の形態で商品１６の容器周面に吹きつけて飲料容器の中身飲料を加熱する。
また、高圧高温水の噴射による商品１６の加熱動作中は、ノズルから噴出した高温高圧水の蒸気化によって密閉形加熱室３の室内圧力が上昇するが、前記のようにハウジングの搬入口３ａを閉塞している蓋板２２はロック機構２１により鎖錠されているので、搬入口３ａが開くおそれはない。また、加熱室内に生じた蒸気はハウジングの側面に開口した連通管３ｃを通じて凝縮器１２（図２参照）に取り込まれて凝縮，復水し、ここから排水管路１１を通じて排水回収タンク８に回収される。また、加熱室３の室内で復水した温水はハウジングの底部周域に形成した排水溝部３ｂに集められて排水管路１１に流出し、前記した凝縮器１２の復水と合流して排水回収タンク８に貯留される。
【００１８】
そして、所定の加熱時間が経過すると、運転制御装置１９からの指令で給水弁６を停止して加熱室３への高温高圧水の給水を停止するとともに、攪拌機構１８の駆動モータ１８ａを停止し、さらに大気開放弁１３を開いて加熱室３を大気側に開放する。続いてロック機構２１を復帰させて蓋板２４のロックを釈放した上で、搬送機構４を下降し、加熱済みの商品１６をテーブル２２に載せたまま加熱室３から下方に引き出す。そして、搬送機構４が所定の待機位置まで下降すると、プッシャ機構などによりテーブル２２に載っている商品１６を押し出して自動販売機の商品取出口に送出し、これで一回の商品１６の加熱，販売動作が終了して再び販売待機状態に戻る。
なお、販売待機中の適当なタイミングで温水タンク５に通じる回収弁１０を開き、排水回収タンク８に貯留していた水を浄水器９に通してゴミなどの異物を除去した上で、温水タンク５に還流させる。また、この還流が済むと、排水管路１１の回収弁１０を閉じた上で温水タンク５のヒータ５ａを通電再開し、タンク内の貯留水を高温に加熱して次の商品加熱動作に備える。
【００１９】
上記のように加熱室３に凝縮器１２を組み合わせ、飲料容器の加熱時に加熱室内に発生する蒸気を凝縮器に取り込んで復水し、この復水を温水タンク５に還流させるようにしたことにより、蒸気をそのまま大気中に放出していた従来装置と比べて熱損失を低減して温水タンクの貯留水を加熱するヒータの熱勘定を改善してランニングコストの低減化が図れる。
【実施例２】
【００２０】
次に、本発明の請求項２に対応する実施例の構成，動作を図５に基づいて説明する。
この実施例においては、加熱装置２に複数基の圧力形温水タンク５（図示例では温水タンクを３基として左から＃１，＃２，＃３の符号を付している）を備え、各温水タンク５はそれぞれ給水弁６，および回収弁１０を介して加熱室３との間に配管した給水管路７，および排水管路１１に集約して接続されている。さらに、各温水タンク５は放圧管路２９，大気開放弁３０を介して加熱室３，凝縮器１２に対応する放圧管路１５に接続している。なお、３１は温水タンク５に水（水道水を）補給するための給水管、３２は給水弁、５ｃは温水タンク５に備えたドレン弁である。
上記の構成で、各基（＃１〜＃３）の温水タンク５は、運転制御装置（図示せず）の指令を受けて次記のように給水弁６，回収弁７，大気開放弁３０を制御し、飲料容器の動作に合わせて温水タンク３から加熱室３への高温高圧水の加圧給水、および加熱室３，凝縮器１２に生じた排水の回収を行うようにする。
【００２１】
すなわち、３基の温水タンク５のうち、２基のタンクに高温高圧水を貯留しておき、飲料容器の加熱動作時にこの温水タンクのいずれかの給水弁６を開いて加熱室３に高温高圧水を加圧給水する運転状態で、残る１基の温水タンク５を排水回収用として使用するように該タンクの回収弁１０および大気開放弁３０を開いておく。
この運転状態で、飲料容器の加熱指令を与えると、高温高圧水を貯留している温水タンクの給水弁６が開き、給水管路７を通じて加熱室３に高温高圧水を加圧送水し、噴射ノズル１７から飲料容器に吹きつけて加熱する。この給水，加熱動作は１基の温水タンク５に蓄えた高温高圧水の圧力が所定圧以下に低下するまで繰り返し行われ、水圧が低下すると次の温水タンクに切り換えて高温高圧水の給水を行う。一方、この運転期間中に加熱室３，凝縮器１２に生成した復水は、排水管路１１を通じて大気圧に開放している残り１基の温水タンク５に回収させる。そして、この温水タンクの排水回収量が所定量に達すると、回収弁１０，大気開放弁３０を閉じた上で、貯留水をヒータ加熱して高温高圧水の給水態勢にしておくとともに、最初に加熱給水用として使用していた温水タンクの回収弁１０，大気開放弁３０を開き、この温水タンクを排水回収用として待機状態に切り換える。これ以降は、繰り返し行う飲料容器の加熱動作の進行に合わせて前記のように排水回収用として使用する温水タンク５を順繰りに切り換える。なお、温水タンク５の貯留水量が定量以下に減少した場合には補給水の給水弁３２を開いて水道水をタンクに補給する。
【００２２】
上記のように系内に複数基の温水タンク５を装備し、その温水タンクを順に切り換えて加熱室３への高温高圧水の加圧供給，および加熱室からの排水回収を行うことにより、高温高圧水の生成準備のために加熱装置の運転を休止，中断することなく、飲料容器の加熱動作を継続的に繰り返し行うことができる。特に、この方式を自動販売機に搭載した飲料容器加熱装置に適用することで、販売休止，中断を伴うことなしにホット商品の連続販売が行えて自動販売機の稼働効率が向上する。
【図面の簡単な説明】
【００２３】
【図１】自動販売機に搭載した容器入り飲料加熱装置の構成図
【図２】図１にける加熱装置の配管系統図
【図３】図２における加熱室の詳細構造図
【図４】図３における搬送機構の詳細構造図
【図５】本発明の実施例２に対応する加熱装置の配管系統図
【符号の説明】
【００２４】
１    自動販売機の本体キャビネット
２    容器入り飲料の加熱装置
３    加熱室
４    搬送機構
５    温水タンク
６    給水弁
７    給水管路
１０    回収弁
１１    排水管路
１２    凝縮器
１３，３０    大気開放弁
１６    商品（缶入り飲料）
１７    噴射ノズル
１９    運転制御装置
２０    高温高圧水
２１    ロック機構
【図１】
2005115694.tif 000003
【図２】
2005115694.tif 000004
【図３】
2005115694.tif 000005
【図４】
2005115694.tif 000006
【図５】
2005115694.tif 000007